(57)【特許請求の範囲】
【請求項１】
底壁と、この底壁に連なる周壁とを有するハウジングと、
上記ハウジングから上記ハウジングの外に引き出された柔軟なケーブルと、
上記ハウジングの底壁に開口された凹みにて構成され、上記ケーブルが取り出し可能に格納されるケーブル格納部と、を具備する情報入力装置において、
上記ケーブル格納部は、上記ケーブルを折り畳んだ状態で収める格納室と、この格納室に連なる少なくとも一つのケーブル保持部と、を備え、
このケーブル保持部は、(1)上記ハウジングの周壁に開口されたケーブル挿通口と、(2)上記ケーブルのうち上記ハウジングの外から上記格納室に導かれる導入部分と、上記格納室から上記ハウジングの外に引き出される引き出し部分とを嵌め込み可能な開口幅を有する溝部と、を有し、上記ケーブルの導入部分と引き出し部分とが一つに束ねられた状態で上記溝部に保持されることを特徴とする情報入力装置。
【請求項２】
請求項１の記載において、上記ハウジングのケーブル格納部は、取り外し可能なケーブルカバーで覆われていることを特徴とする情報入力装置。
【請求項３】
底壁と、この底壁に連なる第１および第２の側壁とを有するハウジングと、
上記ハウジングから上記ハウジングの外に引き出された柔軟な第１および第２のケーブルと、
上記ハウジングの底壁に開口された凹みにて構成され、上記第１および第２のケーブルが取り出し可能に格納されるケーブル格納部と、を具備し、
上記ケーブル格納部は、
上記第１および第２のケーブルを夫々折り畳んだ状態で収める格納室と、
上記格納室に連なるとともに、上記ハウジングの第１の側壁に開口された第１のケーブル挿通口を有する第１のケーブル保持部と、
上記格納室に連なるとともに、上記ハウジングの第２の側壁に開口された第２のケーブル挿通口を有する第２のケーブル保持部と、を備え、
上記第１および第２のケーブル保持部は、上記第１および第２のケーブルのうち上記ハウジングの外から上記格納室に導かれる導入部分と、上記格納室から上記ハウジングの外に引き出される引き出し部分とを嵌め込み可能な開口幅を有する溝状をなしており、上記第１のケーブルの導入部分と引き出し部分とが一つに束ねられた状態で上記第１のケーブル保持部に保持されるとともに、上記第２のケーブルの導入部分と引き出し部分とが一つに束ねられた状態で上記第２のケーブル保持部に保持されることを特徴とする情報入力装置。
【請求項４】
請求項３の記載において、上記ケーブル格納部は、複数のケーブルカバーによって覆われており、これらケーブルカバーは、夫々上記ハウシングの底壁に取り外し可能に支持されていることを特徴とする情報入力装置。
【請求項５】
請求項３の記載において、上記ケーブル格納部は、上記格納室を第１の室と第２の室とに仕切る仕切り壁を有し、上記第１の室は、上記第１のケーブル保持部に連なるとともに、上記第２の室は、上記第２のケーブル保持部に連なることを特徴とする情報入力装置。
【請求項６】
装置本体と、
上記装置本体に柔軟な第１のケーブルを介して接続されたキーボードと、
上記キーボードに柔軟な第２のケーブルを介して接続された周辺機器と、を備えている情報処理装置において、
上記キーボードは、
載置面に置かれる底壁と、この底壁に連なる第１および第２の側壁とを有するハウジングと、
上記ハウジングの底壁に開口された凹みにて構成され、上記第１および第２のケーブルが取り出し可能に格納されるケーブル格納部と、を具備し、
上記ケーブル格納部は、
上記第１および第２のケーブルを夫々折り畳んだ状態で収める格納室と、
上記格納室に連なるとともに、上記ハウジングの第１の側壁に開口された第１のケーブル挿通口を有する第１のケーブル保持部と、
上記格納室に連なるとともに、上記ハウジングの第２の側壁に開口された第２のケーブル挿通口を有する第２のケーブル保持部と、を備え、
上記第１および第２のケーブル保持部は、上記第１および第２のケーブルのうち上記ハウジングの外から上記格納室に導かれる導入部分と、上記格納室から上記ハウジングの外に引き出される引き出し部分とを嵌め込み可能な開口幅を有する溝状をなしており、上記第１のケーブルの導入部分と引き出し部分とが一つに束ねられた状態で上記第１のケーブル保持部に保持されるとともに、上記第２のケーブルの導入部分と引き出し部分とが一つに束ねられた状態で上記第２のケーブル保持部に保持されることを特徴とする情報処理装置。
【請求項７】
請求項６の記載において、上記ケーブル格納部は、複数のケーブルカバーによって覆われており、これらケーブルカバーは、夫々上記ハウジングの底壁に取り外し可能に支持されていることを特徴とする情報処理装置。
【発明の詳細な説明】
【０００１】
【発明の属する技術分野】
本発明は、デスクトップ形のパーソナルコンピュータに用いられるキーボードのような情報入力装置およびキーボードを有する情報処理装置に係り、特にキーボードのハウジングにケーブルを格納するための構造に関する。
【０００２】
【従来の技術】
デスクトップ形のパーソナルコンピュータは、装置本体に接続して使用するキーボードを備えている。このキーボードは、長方形の箱状をなすハウジングと、このハウジングの上面に配置された多数のキーとを有し、このハウジングが机の天板のような載置面の上に置かれている。そして、このキーボードは、柔軟なケーブルを介して装置本体に接続されている。
【０００３】
ところで、この種のパーソナルコンピュータにおいて、キーボードは、装置本体とは独立した一つのモジュールとなっているため、キーボードと装置本体とを接続するケーブルは、これらキーボードと装置本体とが離れていても無理なく接続し得るように、その長さが十分に確保されている。このことから、キーボードと装置本体とが互いに近接して配置されている場合には、ケーブルが長すぎて装置本体やキーボードの周囲に無造作に引き回されることが多い。そのため、ケーブルが邪魔となったり、コンピュータの外観に悪影響を及ぼすことがあり得る。
【０００４】
この対策として、従来、キーボードのハウジングにケーブル格納部を形成し、このハウジングから引き出されたケーブルのうち、配線に不必要な分をケーブル格納部に格納し得るようにして、ケーブルの配線をすっきりと行えるようにしたキーボードが知られている。
【０００５】
従来のケーブル格納部は、ハウジングの底面に開口された幅広い凹所にて構成されている。この凹所は、ハウジングの側面に開口されたケーブル挿通口に連なっている。ケーブル挿通口は、ケーブルをケーブル格納部に導いたり、このケーブル格納部から引き出すためのものであり、ケーブルの太さよりも十分に大きな開口幅を有している。そして、上記凹所の底の複数箇所には、下向きに突出するピン状の突起が配置されており、これらピンに上記ケーブル挿通口から導かれたケーブルをループ状に巻き付けることで、このケーブルがケーブル格納部に格納されるようになっている。
【０００６】
また、ケーブル挿通口には、フックが取り付けられている。フックは、ゴムあるいは合成樹脂材料のような弾性部材にて構成され、上記ケーブルをケーブル挿通口に通す際に、このケーブルをフックに引っ掛けることで、ケーブル挿通口からのケーブルの脱落が阻止されるようになっている。
【０００７】
【発明が解決しようとする課題】
ところが、この従来のキーボードによると、ケーブルをハウジングの底面の凹所に導いた後に、ピン状の突起に順次巻き付けていく必要があるとともに、このケーブルを凹所に導いたりここから引き出す際に、ケーブルをフックに引っ掛けるといった作業を必要とする。そのため、ケーブル格納部にケーブルを格納する際の作業性が悪く、格納作業に手間を要するといった不具合がある。
【０００８】
しかも、ケーブルを突起に巻き付ける従来の構成では、凹所内でのケーブルの巻き付け径が自ずと定まってしまう。このため、格納すべきケーブルの長さを調整する場合に、この調整幅が狭いものとなり、ケーブルの微妙な長さ調整が困難となる。
【０００９】
また、ケーブル挿通口にケーブルの脱落を防止するフックを取り付けなくてはならないので、その分、部品点数が多くなり、コスト的な面で不利な構成となるといった問題もある。
【００１０】
本発明は、このような事情にもとづいてなされたもので、ケーブル格納部へのケーブルの格納作業を容易に行えるとともに、ケーブルの格納長さを微妙に調整することができ、しかも、簡単な構成で製造コストを低減できる情報入力装置および情報処理装置の提供を目的とする。
【００１１】
【課題を解決するための手段】
上記目的を達成するため、本発明の一つの形態に係る情報入力装置は、
底壁と、この底壁に連なる周壁とを有するハウジングと、
上記ハウジングから上記ハウジングの外に引き出された柔軟なケーブルと、
上記ハウジングの底壁に開口された凹みにて構成され、上記ケーブルが取り出し可能に格納されるケーブル格納部と、を具備している。
上記ケーブル格納部は、上記ケーブルを折り畳んだ状態で収める格納室と、上記格納室に連なる少なくとも一つのケーブル保持部と、を備え、このケーブル保持部は、(1)上記ハウジングの周壁に開口されたケーブル挿通口と、(2)上記ケーブルのうち上記ハウジングの外から上記格納室に導かれる導入部分と、上記格納室から上記ハウジングの外に引き出される引き出し部分とを嵌め込み可能な開口幅を有する溝部と、を有し、上記ケーブルの導入部分と引き出し部分とが一つに束ねられた状態で上記溝部に保持されることを特徴としている。
【００１２】
このような構成において、ケーブルをケーブル格納部に格納するに当っては、まず、ハウジングを裏返してケーブル格納部を上向きにする。この状態でケーブルを格納室に導くとともに、この格納室に入りきるように必要なだけ自由に折り畳んで格納室に収め、格納すべきケーブルの長さを調整する。
【００１３】
次に、ケーブルのうち、格納室に導かれる導入部分と、この格納室から引き出される引き出し部分とをケーブル保持部の溝部に手の指先で順次押し込んでいく。これにより、ケーブルは、その導入部分と引き出し部分とが一つに束ねられた状態でケーブル保持部に脱落不能に保持され、ケーブル格納部に対するケーブルの挿通経路が定まる。
【００１４】
そのため、上記構成によれば、従来のようにケーブルを突起に巻き付けたり、フックに引っ掛けるといった面倒で手間のかかる作業が不要となり、ケーブル格納部へのケーブルの格納作業を簡単に行うことができる。
【００１５】
しかも、ケーブルは自由な形状に折り畳むことで格納室に収められるので、従来に比べてケーブルの格納長さを調整する際の自由度が広がり、格納すべきケーブルの長さを微妙に調整することができる。
【００１６】
また、ケーブル保持部は、溝状をなしてハウジングの底壁に一体に形成されているので、専用の別部品からなるフックやその取り付けのための構造を省略することができる。このため、部品点数を削減できるとともに、ハウジングの構成も簡略化することができる。
【００１８】
上記目的を達成するため、本発明の一つの形態に係る情報処理装置は、
装置本体と、
上記装置本体に柔軟な第１のケーブルを介して接続されたキーボードと、
上記キーボードに柔軟な第２のケーブルを介して接続された周辺機器と、を備えている。
上記キーボードは、
載置面に置かれる底壁と、この底壁に連なる第１および第２の側壁とを有するハウジングと、
上記ハウジングの底壁に開口された凹みにて構成され、上記第１および第２のケーブルが取り出し可能に格納されるケーブル格納部と、を具備し、
上記ケーブル格納部は、
上記第１および第２のケーブルを夫々折り畳んだ状態で収める格納室と、
上記格納室に連なるとともに、上記ハウジングの第１の側壁に開口された第１のケーブル挿通口を有する第１のケーブル保持部と、
上記格納室に連なるとともに、上記ハウジングの第２の側壁に開口された第２のケーブル挿通口を有する第２のケーブル保持部と、を備え、
上記第１および第２のケーブル保持部は、上記第１および第２のケーブルのうち上記ハウジングの外から上記格納室に導かれる導入部分と、上記格納室から上記ハウジングの外に引き出される引き出し部分とを嵌め込み可能な開口幅を有する溝状をなしており、上記第１のケーブルの導入部分と引き出し部分とが一つに束ねられた状態で上記第１のケーブル保持部に保持されているとともに、上記第２のケーブルの導入部分と引き出し部分とが一つに束ねられた状態で上記第２のケーブル保持部に保持されることを特徴としている。
【００１９】
このような構成において、第１および第２の二本のケーブルをケーブル格納部に格納するに当っては、まず、ハウジングを裏返してケーブル格納部を上向きにする。この状態で第１および第２のケーブルを夫々ケーブル格納部の格納室に導くとともに、この格納室に入りきるように必要なだけ自由に折り畳んで格納室に収め、格納すべきケーブルの長さを調整する。
【００２０】
次に、第１のケーブルのうち、格納室に導かれる導入部分と、この格納室から引き出される引き出し部分とを溝状の第１のケーブル保持部に手の指先で順次押し込んでいく。これにより、第１のケーブルは、その導入部分と引き出し部分とが一つに束ねられた状態で第１のケーブル保持部に脱落不能に保持され、ケーブル格納部に対する第１のケーブルの挿通経路が定まる。
【００２１】
同様に第２のケーブルのうち、格納室に導かれる導入部分と、この格納室から引き出される引き出し部分とを溝状の第２のケーブル保持部に手の指先で順次押し込んでいく。これにより、第２のケーブルは、その導入部分と引き出し部分とが一つに束ねられた状態で第２のケーブル保持部に脱落不能に保持され、ケーブル格納部に対する第２のケーブルの挿通経路が定まる。
【００２２】
そのため、上記構成によれば、従来のようにケーブルを突起に巻き付けたり、フックに引っ掛けるといった面倒で手間のかかる作業が不要となり、ケーブル格納部へのケーブルの格納作業を簡単に行うことができる。
【００２３】
しかも、第１および第２のケーブルは、自由な形状に折り畳むことで格納室に収められるので、従来に比べて第１および第２のケーブルの格納長さを調整する際の自由度が広がり、格納すべきケーブルの長さを微妙に調整することができる。
【００２４】
また、第１および第２のケーブル保持部は、溝状をなしてハウジングの底壁に一体に形成されているので、専用の別部品からなるフックやその取り付けのための構造を省略することができる。このため、部品点数を削減できるとともに、ハウジングの構成も簡略化することができる。
【００２５】
【発明の実施の形態】
以下本発明の第１の実施の形態を、デスクトップ形のパーソナルコンピュータに適用した図１ないし図８にもとづいて説明する。
【００２６】
図１は、デスクトップ形のパーソナルコンピュータ１を開示している。このコンピュータ１は、液晶一体形の装置本体２と、この装置本体２に接続して使用する情報入力装置としてのキーボード３とを備えている。これら装置本体２およびキーボード３は、例えば机の天板のような水平な載置面４（図４に示す）に設置されている。
【００２７】
装置本体２は、合成樹脂製のハウジング５を有している。このハウジング５は、ベース部６とスタンド部７とで構成されている。ベース部６は、フラットな四角形の箱状をなしている。スタンド部７は、ベース部６と同等の幅寸法を保ったまま、このベース部６の後端から上向きに延びている。
【００２８】
スタンド部７の上端には、フラットな液晶ディスプレイユニット１１が支持されている。液晶ディスプレイユニット１１は、ディスプレイハウジング１２と、このディスプレイハウジング１２の内部に収容された液晶ディスプレイモジュール１３とを備えている。ディスプレイハウジング１２は、表示用の開口部１４が形成された前面を有し、この開口部１４を通じて液晶ディスプレイモジュール１３の表示画面１３ａが外方に露出されている。
【００２９】
図１ないし図５に示すように、上記キーボード３は、多数のキー１５と、これらキー１５を支持するハウジング１６とを有している。このハウジング１６は、底壁１７ａ、上壁１７ｂ、第１の側壁１７ｃ、第２の側壁１７ｄ、前壁１７ｅおよび後壁１７ｆを有するフラットな長方形の箱状をなしており、その幅寸法L1が奥行き寸法L2に比べて遥かに大きく設定されている。
【００３０】
ハウジング１６の底壁１７ａは、図２に示すような平坦な底面１８を有しており、この底面１８が載置面４の上に置かれている。ハウジング１６の周壁としての第１および第２の側壁１７ｃ，１７ｄは、ハウジング１６の幅方向に互いに離間して配置されており、上記底壁１７ａの左右の側縁から上向きに延びている。ハウジング１６の上壁１７ｂは、ハウジング１６の前部から後部に従い上向きに傾斜されており、それ故、ハウジング１６は、前部から後部に進む程に厚くなっている。
【００３１】
また、ハウジング１６は、底壁１７ａを含むロアハウジング１６ａと、上壁１７ｂを含むアッパハウジング１６ｂとに分割されている。これらハウジング１６ａ，１６ｂは、金型の内部に溶融樹脂材料を充填してなる射出成形品にて構成され、この成形品は、金型を分割することで取り出されるようになっている。
【００３２】
キーボード３は、第１のケーブルとしての柔軟なUSBケーブル２０を有している。USBケーブル２０は、円形の断面形状を有するとともに、上記ハウジング１６の第１の側壁１７ｃから引き出されている。このUSBケーブル２０の先端は、装置本体２のUSBポート（図示せず）に接続されている。また、このハウジング１６の第２の側壁１７ｄには、図５に示すようなマウスコネクタ２１が配置されている。マウスコネクタ２１は、USBケーブル２０の引き出し側とは反対側に位置されている。
【００３３】
キーボード３に付属する周辺機器としてのマウス２２は、キーボード３と共に載置面４に置かれている。このマウス２２は、第２のケーブルとしての柔軟なマウスケーブル２３を有している。マウスケーブル２３は、円形の断面形状を有しており、このマウスケーブル２３の先端のコネクタ２４が上記キーボード３のマウスコネクタ２１に接続されている。
【００３４】
そのため、キーボード３にマウス２２を接続した状態では、ハウジング１６の幅方向に沿う両端部からUSBケーブル２０とマウスケーブル２３とが引き出されている。
【００３５】
図３ないし図７に示すように、ハウジング１６は、USBケーブル２０又はマウスケーブル２３の少なくともいずれか一方を選択的に格納するケーブル格納部２５を有している。ケーブル格納部２５は、ハウジング１６の底面１８に開口された凹所にて構成され、ロアハウジング１６ａの射出成形時に底壁１７ａに一体成形されている。
【００３６】
ケーブル格納部２５は、上記二種類のケーブル２０，２３を収める格納室２６と、この格納室２６に連なる第１および第２のケーブル保持部２７ａ，２７ｂとを備えている。格納室２６は、ハウジング１６の幅方向および奥行き方向に広がるとともに、その深さ寸法が上記ケーブル２０，２３の径よりも大きく設定され、これらケーブル２０，２３を夫々同一面上に折り畳んだ状態で収めるに十分な容量を有している。格納室２６の底面２６ａは、ハウジング１６の前部から後部に進むに従い上向きに傾斜されており、この傾斜により格納室２６の前部から後部に進む程に深さ寸法が増大するようになっている。
【００３７】
第１のケーブル保持部２７ａは、上記USBケーブル２０を格納室２６に導くためのものであり、上記ハウジング１６の第１の側壁１７ｃに開口されたケーブル挿通口２８（図４に示す）と、このケーブル挿通口２８と格納室２６とを連通させる溝部２９とで構成されている。溝部２９は、ハウジング１６の幅方向に沿って一直線状に延びており、この溝部２９の底面２９ａは、格納室２６の底面２６ａと同一平面上に位置されている。
【００３８】
そして、溝部２９は、USBケーブル２０のうち、ケーブル挿通口２８を通して格納室２６に導かれる導入部分２０ａと、この格納室２６からハウジング１６の外方に引き出される引き出し部分２０ｂとを互いに平行に並べた状態で嵌め込むことができるような開口幅X1を有している。そのため、溝部２９にUSBケーブル２０の導入部分２０ａと引き出し部分２０ｂとを嵌め込んだ状態では、これら部分２０ａ，２０ｂと溝部２９の内面とが互いに弾性的に接触し合い、これら両者間にUSBケーブル２０の脱落を阻止するある一定の保持力が発生するようになっている。
【００３９】
第２のケーブル保持部２７ｂは、上記マウスケーブル２３を格納室２６に導くためのものであり、上記ハウジング１６の第２の側壁１７ｄに開口されたケーブル挿通口３１と、このケーブル挿通口３１と格納室２６とを連通させる溝部３２とで構成されている。溝部３２は、ハウジング１６の幅方向に沿って一直線状に延びており、この溝部３２の底面３２ａは、格納室２６の底面２６ａと同一平面上に位置されている。
【００４０】
そして、溝部３２は、マウスケーブル２３のうち、ケーブル挿通口３１を通して格納室２６に導かれる導入部分２３ａと、この格納室２６からハウジング１６の外方に引き出される引き出し部分２３ｂとを互いに平行に並べた状態で嵌め込むことができるような開口幅X2を有している。そのため、溝部３２にマウスケーブル２３の導入部分２３ａと引き出し部分２３ｂとを嵌め込んだ状態では、これら部分２３ａ，２３ｂと溝部３２の内面とが互いに弾性的に接触し合い、これら両者間にマウスケーブル２３の脱落を阻止するある一定の保持力が発生するようになっている。
【００４１】
第１および第２のケーブル保持部２７ａ，２７ｂの溝部２９，３２は、上記格納室２６を挟んだ両側において、ハウジング１６の幅方向に延びる同一直線上に位置し、夫々格納室２６の前端部に連なっている。そして、これら溝部２９，３２の開口幅X1,X2は、格納室２６の奥行き寸法よりも遥かに小さく設定されている。
【００４２】
図３に示すように、ハウジング１６の底面１８に開口されたケーブル格納部２５の開口縁部には、周方向に連続するカバー取り付け座３５が形成されている。カバー取り付け座３５は、ハウジング１６の底面１８よりも一段低い窪みにて構成されている。
【００４３】
このカバー取り付け座３５のうち、ケーブル格納部２５の開口前縁に沿う前半部分３５ａは、ハウジング１６の幅方向に沿って一直線状に延びており、この前半部分３５ａの座面には、複数の係止孔３６が間隔を存して形成されている。また、カバー取り付け座３５のうち、ケーブル格納部２５の開口後縁に沿う後半部分３５ｂには、複数の切り欠き３７が形成されている。これら切り欠き３７は、格納室２６に対応する位置に二箇所および第１および第２のケーブル保持部２７ａ，２７ｂの溝部２９，３２に対応する位置に夫々一箇所づつ形成されている。
【００４４】
ハウジング１６のケーブル格納部２５は、取り外し可能な第１および第２のケーブルカバー４０，４１によって覆われている。第１のケーブルカバー４０は、上記第１のケーブル保持部２７ａの溝部２９を覆う幅狭い第１のプレート部４０ａと、格納室２６の左半分を連続して覆う幅広い第２のプレート部４０ｂとを有している。第２のケーブルカバー４１は、上記第２のケーブル保持部２７ｂの溝部３２を覆う幅狭い第１のプレート部４１ａと、格納室２６の右半分を連続して覆う幅広い第２のプレート部４１ｂとを有している。
【００４５】
第１および第２のケーブルカバー４０，４１の周縁部は、上記カバー取り付け座３５の座面に重ね合わされている。そして、これら第１および第２のケーブルカバー４０，４１の周縁部には、夫々上記係止孔３６に挿入される複数の舌片４３（図８に示す）と、上記切り欠き３７に弾性的に引っ掛かる一対のラッチ片４４とが一体に形成されている。
【００４６】
そのため、第１および第２のケーブルカバー４０，４１は、舌片４３を係止孔３６に挿入した後、その周縁部をカバー取り付け座３５に重ね合わせるとともに、ラッチ片４４を切り欠き３７に引っ掛けることでハウジング１６の底壁１７ａに支持されている。
【００４７】
第１および第２のケーブルカバー４０，４１をハウジング１６に取り付けた状態では、これらケーブルカバー４０，４１の第１および第２のプレート部４０ａ，４０ｂ，４１ａ，４１ｂがハウジング１６の底壁１７ａに面一に連続し、上記USBケーブル２０やマウスケーブル２３をケーブル格納部２５に抜け止め保持するようになっている。
【００４８】
このような構成のパーソナルコンピュータ１において、キーボード３に連なるUSBケーブル２０やマウスケーブル２３をハウジング１６のケーブル格納部２５に格納するには、図３に示すように、ハウジング１６を裏返してケーブル格納部２５を上向きにする。そして、ケーブル格納部２５が第１および第２のケーブルカバー４０，４１によって閉じられている場合には、まず、ラッチ片４４を指先で押圧することにより、ラッチ片４４と切り欠き３７との係合を解除し、第１および第２のケーブルカバー４０，４１をハウジング１６から取り外す。
【００４９】
この状態でUSBケーブル２０を第１のケーブル保持部２７ａの方向から格納室２６に向けて導くとともに、必要な長さに相当する分だけ順次格納室２６の底面２６ａに沿うように折り畳んでいくことで格納室２６に収める。これにより、格納すべきUSBケーブル２０の長さを調整する。
【００５０】
次に、USBケーブル２０のうち、格納室２６に導入される導入部分２０ａと、格納室２６から引き出される引き出し部分２０ｂとを第１のケーブル保持部２７ａの溝部２９に嵌まり込むように手の指先で押し込んでいく。このことにより、USBケーブル２０は、その導入部分２０ａと引き出し部分２０ｂとが一つに束ねられた状態で溝部２９に脱落不能に保持され、ケーブル格納部２５に対するUSBケーブル２０の挿通経路が定まる。
【００５１】
USBケーブル２０の保持が完了したならば、今度はマウスケーブル２３を第２のケーブル保持部２７ｂの方向から格納室２６に向けて導くとともに、必要な長さに相当する分だけ順次格納室２６の底面２６ａに沿うように折り畳んでいくことでマウスケーブル２３を格納室２６に収める。これにより、格納すべきマウスケーブル２３の長さを調整する。
【００５２】
次に、マウスケーブル２３のうち、格納室２６に導入される導入部分２３ａと、格納室２６から引き出される引き出し部分２３ｂとを第２のケーブル保持部２７ｂの溝部３２に嵌まり込むように手の指先で押し込んでいく。このことにより、マウスケーブル２３は、その導入部分２３ａと引き出し部分２３ｂとが一つに束ねられた状態で溝部３２に脱落不能に保持され、ケーブル格納部２５に対するマウスケーブル２３の挿通経路が定まる。
【００５３】
最後にケーブル格納部２５のカバー取り付け座３５に第１および第２のケーブルカバー４０，４１を重ね合わせて、そのラッチ片４４を切り欠き３７に引っ掛け、これら第１および第２のケーブルカバー４０，４１でケーブル格納部２５に収められたUSBケーブル２０およびマウスケーブル２３を覆い隠す。このことにより、一連のUSBケーブル２０およびマウスケーブル２３の格納作業が完了する。
【００５４】
このような構成のキーボード３によれば、USBケーブル２０やマウスケーブル２３をキーボード３のケーブル格納部２５に格納するに当っては、USBケーブル２０やマウスケーブル２３を格納室２６に折り畳んで格納した後、その導入部分２０ａと引き出し部分２０ｂとを第１および第２のケーブル保持部２７ａ，２７ｂの溝部２９，３２に押し込み、この溝部２９，３２を利用してUSBケーブル２０やマウスケーブル２３の挿通経路を規定すれば良い。
【００５５】
そのため、従来のように格納すべきケーブルを突起に何回も巻き付けたり、このケーブルがばらけないようにフックに引っ掛けるといった、面倒で手間のかかる作業が不要となり、ケーブル格納部２５に対するケーブル２０，２３の格納作業を容易に行うことができる。
【００５６】
しかも、USBケーブル２０やマウスケーブル２３は、格納室２６の底面２６ａに沿って自由な形状に折り畳むことで格納室２６に収められているので、これらケーブル２０，２３の格納長を調整する際の自由度が増大する。このため、従来に比べて調整幅が広がり、ケーブル２０，２３の格納長の微妙な調整が可能となる。
【００５７】
また、USBケーブル２０やマウスケーブル２３の挿通経路を規定する溝部２９，３２は、ロアハウジング１６ａの射出成形時に底壁１７ａに一体に形成されているので、ケーブル２０，２３を引っ掛ける専用のフックやこのフックを取り付けるための構造が不要となる。このため、部品点数を削減できるのは勿論のこと、ケーブル格納部２５の構造を簡素化することができ、ハウジング１６の製造コストを低減することができる。
【００５８】
さらに、上記構成によると、第１のケーブルカバー４０は、USBケーブル２０が挿通される第１のケーブル保持部２７ａや格納室２６の左半分を覆い隠すとともに、第２のケーブルカバー４１は、マウスケーブル２３が挿通される第２のケーブル保持部２７ｂや格納室２６の右半分を覆い隠している。このため、USBケーブル２０又はマウスケーブル２３のいずれかの長さ調整を行うには、調整すべきケーブル２０又は２３に対応する側のケーブルカバー４０又は４１を取り外せば良く、一方のケーブル２０又は２３の長さ調整を行う時に、他方のケーブル２０又は２３の保持が解除されてしまうことはない。
【００５９】
なお、上記第１の実施の形態においては、ハウジングの底壁にマウスケーブルが挿通される第２のケーブル保持部を形成したが、このマウスケーブルを接続するマウスコネクタが存在しないキーボードの場合は、第２のケーブル保持部を省略しても良い。
【００６０】
また、本発明は、上記第１の実施の形態に特定されるものではなく、図９および図１０に本発明の第２の実施の形態を示す。
【００６１】
この第２の実施の形態は、ケーブル格納部２５にUSBケーブル２０とマウスケーブル２３とを一括して格納する場合に、これらケーブル２０，２３の絡みを防止するようにした点が上記第１の実施の形態と相違しており、それ以外のケーブル格納部２５の基本的な構成は、上記第１の実施の形態と同様である。
【００６２】
そのため、第２の実施の形態において、上記第１の実施の形態と同一の構成部分には同一の参照符号を付してその説明を省略する。
【００６３】
図９に示すように、格納室２６には、リブ状の仕切り壁５０が配置されている。仕切り壁５０は、ロアハウジング１６ａの射出成形時に一体成形されており、格納室２６の底面２６ａから下向きに突出されている。この仕切り壁５０は、第２のケーブル保持部２７ｂの格納室２６への開口端から第１のケーブル保持部２７ａに向けて一直線状に連続して延びており、この仕切り壁５０の先端と第１のケーブル保持部２７ａとの間には、ケーブル挿通用の通路５１が形成されている。
【００６４】
そのため、仕切り壁５０は、格納室２６の内部を第１の室５２と第２の室５３との二室に仕切っており、第１の室５２は上記通路５１を介して第１のケーブル保持部２７ａに連なっているとともに、第２の室５３は第２のケーブル保持部２７ｂに連なっている。
【００６５】
このような構成のケーブル格納部２５によると、USBケーブル２０は、格納室２６の第１の室５２において、その底面２６ａに沿うように折り畳まれた後、上記通路５１を介して第１のケーブル保持部２７ａの溝部２９に導かれている。また、マウスケーブル２３は、格納室２６の第２の室５３において、その底面２６ａに沿うように折り畳まれた後、第２のケーブル保持部２７ｂの溝部３２に導かれており、このマウスケーブル２３の折り返し端２３ｃが通路５１に臨んでいる。
【００６６】
このような構成によれば、ケーブル格納部２５の格納室２６は、仕切り壁５０を介してUSBケーブル２０を収める第１の室５２と、マウスケーブル２３を収める第２の室５３とに仕切られているので、この格納室２６にUSBケーブル２０およびマウスケーブル２３の両者を一括して収めた場合でも、これらケーブル２０，２３の間には、リブ状の仕切り壁５０が介在される。
【００６７】
そのため、格納室２５の内部でのケーブル２０，２３の絡み付きを防止することができ、各ケーブル２０，２３の格納長さの調整作業を容易に行うことができる。それとともに、格納室２５の内部での各ケーブル２０，２３の挿通経路が規定されるので、これらケーブル２０，２３を底面２６ａに沿って折り畳む際に、隣り合うケーブル２０，２３が邪魔となることはなく、ケーブル２０，２３の格納時の作業性がより向上する。
【００６８】
なお、格納室２６の底面２６ａから突出する仕切り壁５０は、ハウジング１６の幅方向に沿って連続して延びているので、射出成形時での型抜きを円滑かつ容易に行うためには、図１０の（Ｂ）に示すように、仕切り壁５０の突出先端に多数の凹部５５を長手方向に間隔を存して形成し、仕切り壁５０の突出端を凹凸形状とすることが望ましい。
【００６９】
また、仕切り壁５０は、ハウジング１６の幅方向に連続して形成する必要はなく、例えば複数の仕切り壁をハウジングの幅方向に間隔を存して一列に並べて配置しても良い。
【００７０】
図１１は、本発明の第３の実施の形態を開示している。
【００７１】
この第３の実施の形態は、ハウジング１６の第１の側壁１７ｃからUSBケーブル２０とマウスケーブル２３とが引き出されている場合に好適する構造を示している。
【００７２】
図１１に示すように、ハウジング１６の底壁１７ａには、USBケーブル２０を格納する第１のケーブル格納部６０と、マウスケーブル２３を格納する第２のケーブル格納部６１とが形成されている。これらケーブル格納部６０，６１は、ハウジング１６の底面１８に開口された凹所にて構成され、このハウジング１６の奥行き方向に並べて配置されている。
【００７３】
第１のケーブル格納部６０は、USBケーブル２０を折り畳んだ状態で収める格納室６２と、この格納室６２に連なるケーブル保持部６３とを備えている。格納室６２は、USBケーブル２０を収めるに十分な容量を有している。USBケーブル２０は、格納室６２の平坦な底面６２ａに沿って折り畳まれるようになっている。
【００７４】
ケーブル保持部６３は、ハウジング１６の第１の側壁１７ｃに開口されたケーブル挿通口６４と、このケーブル挿通口６４と格納室６２とを連通させる溝部６５とで構成されている。溝部６５は、ハウジング１６の幅方向に沿って一直線状に延びている。そして、溝部６５は、上記第１の実施の形態と同様に、USBケーブル２０の導入部分２０ａと引き出し部分２０ｂとを互いに平行に並べた状態で嵌め込むことができるような開口幅X1を有している。そのため、USBケーブル２０の導入部分２０ａと引き出し部分２０ｂとは、溝部６５への嵌合により第１のケーブル格納部６０に保持されるようになっている。
【００７５】
第２のケーブル格納部６１は、マウスケーブル２３を折り畳んだ状態で収める格納室６７と、この格納室６７に連なるケーブル保持部６８とを備えている。格納室６７は、マウスケーブル２３を収めるに十分な容量を有している。このマウスケーブル２３は、格納室６７の平坦な底面６７ａに沿って折り畳まれるようになっている。
【００７６】
ケーブル保持部６８は、ハウジング１６の第１の側壁１７ｃに開口されたケーブル挿通口６９と、このケーブル挿通口６９と格納室６７とを連通させる溝部７０とで構成されている。溝部７０は、ハウジング１６の幅方向に沿って一直線状に延びている。そして、溝部７０は、上記第１の実施の形態と同様に、マウスケーブル２３の導入部分２３ａと引き出し部分２３ｂとを互いに平行に並べた状態で嵌め込むことができるような開口幅X2を有している。そのため、マウスケーブル２３の導入部分２３ａと引き出し部分２３ｂとは、溝部６５への嵌合により第２のケーブル保持部６１に保持されるようになっている。
【００７７】
なお、第１および第２のケーブル格納部６０，６１は、上記第１の実施の形態と同様の第１および第２のケーブルカバー４０，４１によって個別に覆われており、これらケーブルカバー４０，４１は、舌片４３およびラッチ片４４を介してハウジング１６の底壁１７ａに取り外し可能に支持されている。
【００７８】
このような構成によれば、USBケーブル２０が格納される第１のケーブル格納部６０と、マウスケーブル２３が格納される第２のケーブル格納部６１とが互いに独立しているので、USBケーブル２０とマウスケーブル２３とを互いに絡み合うことなくハウジング１６の内部に格納することができる。
【００７９】
このため、各ケーブル２０，２３の格納長さの調整作業を容易に行うことができ、ケーブル２０，２３の格納時の作業性がより向上する。
【００８０】
【発明の効果】
以上詳述した本発明によれば、ケーブル格納部に対するケーブルの格納作業を容易に行えるとともに、ケーブルの格納長さを微妙に調整することができる。さらに、ケーブル格納部の構造を簡素化することができ、ハウジングの製造コストを低減して安価に提供できるといった利点がある。
【図面の簡単な説明】
【図１】本発明の第１の実施の形態に係るデスクトップ形のパーソナルコンピュータの斜視図。
【図２】ハウジングを底壁側から見たキーボードの斜視図。
【図３】ケーブル格納部にUSBケーブルおよびマウスケーブルを格納した状態を示すキーボードの斜視図。
【図４】キーボードの左側面図。
【図５】キーボードの右側面図。
【図６】ケーブル格納部の格納室の部分を断面で示すキーボードの側面図。
【図７】ケーブル格納部のケーブル保持部の部分を断面で示すキーボードの側面図。
【図８】ケーブル格納部を第１および第２のケーブルカバーを用いて閉塞した状態を示す断面図。
【図９】本発明の第２の実施の形態において、ケーブル格納部にUSBケーブルおよびマウスケーブルを格納した状態を示すキーボードの斜視図。
【図１０】（Ａ）は、ケーブル格納部の格納室の部分を断面で示すキーボードの側面図。
（Ｂ）は、仕切り壁の突出先端の断面図。
【図１１】本発明の第３の実施の形態において、ケーブル格納部にUSBケーブルおよびマウスケーブルを格納した状態を示すキーボードの斜視図。
【符号の説明】
２…装置本体、３…キーボード、４…載置面、１６…ハウジング、１７ａ…底壁、１７ｃ，１７ｄ…周壁（第１の側壁、第２の側壁）、２０…第１のケーブル（ＵＳＢケーブル）、２０ａ…導入部分、２０ｂ…引き出し部分、２２…周辺機器（マウス）、２３…第２のケーブル（マウスケーブル）、２３ａ…導入部分、２３ｂ…引き出し部分、２５，６０，６１…ケーブル格納部（第１のケーブル格納部、第２のケーブル格納部）、２６，６２，６７…格納室、２７ａ，６３…第１のケーブル保持部、２７ｂ，６８…第２のケーブル保持部、２８，３１，６４，６９…ケーブル挿通口、２９，３２，６５，７０…溝部。
【図１】
0004213300.tif 000002
【図２】
0004213300.tif 000003
【図３】
0004213300.tif 000004
【図４】
0004213300.tif 000005
【図５】
0004213300.tif 000006
【図６】
0004213300.tif 000007
【図７】
0004213300.tif 000008
【図８】
0004213300.tif 000009
【図９】
0004213300.tif 000010
【図１０】
0004213300.tif 000011
【図１１】
0004213300.tif 000012